(57)【要約】【課題】ユーザの利便性を向上できる電子時計およびプログラムを提供することを目的とする。【解決手段】ユーザによる操作を受け付ける操作部と、複数の動作モードを各々有する複数のグループを操作部が受け付けた操作に基づいて切り替え、動作モードを操作部が受け付けた操作に基づいて切り替える制御部と、を備え、複数のグループは、現在時刻を表示する時計動作モード以外で、複数のグループ間で共通する共通動作モードを有する。【選択図】図５
2014048240.tif 000002
【特許請求の範囲】
【請求項１】
ユーザによる操作を受け付ける操作部と、
複数の動作モードを各々有する複数のグループを前記操作部が受け付けた操作に基づいて切り替え、前記動作モードを前記操作部が受け付けた操作に基づいて切り替える制御部と、
を備え、
複数の前記グループは、現在時刻を表示する時計動作モード以外で、複数の前記グループ間で共通する共通動作モードを有する
ことを特徴とする電子時計。
【請求項２】
複数の前記グループのうち第１グループは、前記時計動作モードと第１動作モードと前記共通動作モードとを少なくとも有し、
複数の前記グループのうち第２グループは、前記時計動作モードと第２動作モードと前記共通動作モードとを少なくとも有している
ことを特徴とする請求項１に記載の電子時計。
【請求項３】
前記制御部は、
前記第１グループにおいて、前記操作部が受け付けた操作に基づいて前記第１動作モードから前記共通動作モードに遷移させ、
前記第２グループにおいて、前記操作部が受け付けた操作に基づいて前記第２動作モードから前記共通動作モードに遷移させる
ことを特徴とする請求項２に記載の電子時計。
【請求項４】
前記共通動作モードは、
タイマー計測を行う動作モード、またはアラーム動作を行う動作モードのうち少なくとも１つの動作モードである
ことを特徴とする請求項１から請求項３のいずれか１項に記載の電子時計。
【請求項５】
前記第１動作モードは、ピッチ計測を行う動作モードであり、
前記第２動作モードは、ペース計測を行う動作モードである
ことを特徴とする請求項２または請求項３に記載の電子時計。
【請求項６】
前記第１グループにおいて、前記時計動作モードが前記第１動作モードよりも前に配置され、前記第１動作モードが前記共通動作モードより前に配置され、前記操作部に基づいて前記共通動作モードが前記時計動作モードに遷移し、
前記第２グループにおいて、前記時計動作モードが前記第２動作モードよりも前に配置され、前記第２動作モードが前記共通動作モードより前に配置され、前記操作部に基づいて前記共通動作モードが前記時計動作モードに遷移する
ことを特徴とする請求項２、請求項３、請求項５のいずれか１項に記載の電子時計。
【請求項７】
前記操作部に基づいて前記第１グループと前記第２グループとを切り替えるために前記操作部が操作される第１操作時間と、前記第１グループにおいて前記第１動作モードから前記共通動作モードに遷移させるために前記操作部が操作される第２操作時間とが異なっている
ことを特徴とする請求項２、請求項３、請求項５、請求項６のいずれか１項に記載の電子時計。
【請求項８】
ユーザによる操作を受け付ける操作部を備える電子時計のコンピュータに実行させるためのプログラムであって、
第１動作モードとグループ間で共通する共通動作モードとを含む第１グループと、第２動作モードと前記第１グループが有する前記共通動作モードとを含む第２グループと、を前記操作部に基づいて切り替える手順と、
前記第１グループにおいて、前記操作部が受け付けた操作に基づいて前記第１動作モードから前記共通動作モードに遷移させる手順と、
前記第２グループにおいて、前記操作部が受け付けた操作に基づいて前記第２動作モードから前記共通動作モードに遷移させる手順と、
を実行させるためのプログラム。
【発明の詳細な説明】
【技術分野】
【０００１】
本発明は、電子時計およびプログラムに関する。
【背景技術】
【０００２】
時計動作のモード以外に、ストップウォッチ動作のモード、アラーム動作のモード、タイマー動作のモード等、複数の動作モードを有する電子時計がある。このように複数の動作モードを有している電子時計では、ユーザは、使用する動作モードを電子時計が有するスイッチを操作して選択する。しかしながら、動作モードが多い場合、ユーザは、使用したい動作モードを呼び出すために、スイッチを何度も操作する必要があった。
【０００３】
このため、特許文献１では、動作モードを２つのグループに分割する。そして、特許文献１では、スイッチが一定時間以上継続して操作されたときに、分割されたグループの選択を行う。また、特許文献１では、スイッチが一定時間以下の短時間操作のときに、選択されたグループ内の動作モードの選択を行う。なお、異なる２つグループは、時刻に関連する動作モードのグループと、他の動作モードのグループとである。特許文献１では、時刻に関連する動作モードのグループは、アラーム時刻モード、ストップウォッチ計測モード、タイマー計測モードの３つのモードを有している。また、特許文献１では、他の動作モードのグループは、脈拍及び血圧測定モード、血圧表示モード、脈拍表示モードの３つのモードを有している。
【先行技術文献】
【特許文献】
【０００４】
【特許文献１】実開平４−７９２９８号公報
【発明の概要】
【発明が解決しようとする課題】
【０００５】
しかしながら、特許文献１では、他の動作モードのグループの計測または表示を行っているときに、アラーム時刻モードを使用したい場合、ユーザは、スイッチを操作して、一旦時計モードに戻りグループの選択をやり直す。特許文献１では、その後、ユーザは、グループを時刻に関連する動作モードのグループに切り替えた後に、アラーム時刻モードを選択する必要があった。このため、特許文献１の技術は、ユーザにとって利便性が悪かった。
【０００６】
本発明は、上記の事情に鑑み成されたものであって、ユーザの利便性を向上できる電子時計およびプログラムを提供することを目的とする。
【課題を解決するための手段】
【０００７】
上記目的を達成するため、本発明の一態様に係る電子時計は、ユーザによる操作を受け付ける操作部と、複数の動作モードを各々有する複数のグループを前記操作部が受け付けた操作に基づいて切り替え、前記動作モードを前記操作部が受け付けた操作に基づいて切り替える制御部と、を備え、複数の前記グループは、現在時刻を表示する時計動作モード以外で、複数の前記グループ間で共通する共通動作モードを有することを特徴としている。
【０００８】
また、本発明の一態様に係る電子時計において、複数の前記グループのうち第１グループは、前記時計動作モードと第１動作モードと前記共通動作モードとを少なくとも有し、複数の前記グループのうち第２グループは、前記時計動作モードと第２動作モードと前記共通動作モードとを少なくとも有しているようにしてもよい。
【０００９】
また、本発明の一態様に係る電子時計において、前記制御部は、前記第１グループにおいて、前記操作部が受け付けた操作に基づいて前記第１動作モードから前記共通動作モードに遷移させ、前記第２グループにおいて、前記操作部が受け付けた操作に基づいて前記第２動作モードから前記共通動作モードに遷移させるようにしてもよい。
【００１０】
また、本発明の一態様に係る電子時計において、前記共通動作モードは、タイマー計測を行う動作モード、またはアラーム動作を行う動作モードのうち少なくとも１つの動作モードであるようにしてもよい。
【００１１】
また、本発明の一態様に係る電子時計において、前記第１動作モードは、ピッチ計測を行う動作モードであり、前記第２動作モードは、ペース計測を行う動作モードであるようにしてもよい。
【００１２】
また、本発明の一態様に係る電子時計において、前記第１グループにおいて、前記時計動作モードが前記第１動作モードよりも前に配置され、前記第１動作モードが前記共通動作モードより前に配置され、前記操作部に基づいて前記共通動作モードが前記時計動作モードに遷移し、前記第２グループにおいて、前記時計動作モードが前記第２動作モードよりも前に配置され、前記第２動作モードが前記共通動作モードより前に配置され、前記操作部に基づいて前記共通動作モードが前記時計動作モードに遷移するようにしてもよい。
【００１３】
また、本発明の一態様に係る電子時計において、前記操作部に基づいて前記第１グループと前記第２グループとを切り替えるために前記操作部が操作される第１操作時間と、前記第１グループにおいて前記第１動作モードから前記共通動作モードに遷移させるために前記操作部が操作される第２操作時間とが異なっているようにしてもよい。
【００１４】
上記目的を達成するため、本発明の一態様に係るプログラムは、ユーザによる操作を受け付ける操作部を備える電子時計のコンピュータに実行させるためのプログラムであって、第１動作モードとグループ間で共通する共通動作モードとを含む第１グループと、第２動作モードと前記第１グループが有する前記共通動作モードとを含む第２グループと、を前記操作部に基づいて切り替える手順と、前記第１グループにおいて、前記操作部が受け付けた操作に基づいて前記第１動作モードから前記共通動作モードに遷移させる手順と、前記第２グループにおいて、前記操作部が受け付けた操作に基づいて前記第２動作モードから前記共通動作モードに遷移させる手順と、を実行させることを特徴としている。
【発明の効果】
【００１５】
本発明によれば、ユーザの利便性を向上できる電子時計およびプログラムを提供できる。
【図面の簡単な説明】
【００１６】
【図１】本実施形態における電子時計の外形図の一例を示す図である。
【図２】本実施形態における電子時計の構成を示したブロック図である。
【図３】本実施形態における電子時計が計測した計測時間の一例を示す図である。
【図４】本実施形態における記憶部に記憶される計測データの例を示す概略図である。
【図５】本実施形態における各動作モード及び動作モードの遷移を説明する図である。
【発明を実施するための形態】
【００１７】
以下、本発明の実施の形態について図面を参照しながら説明する。
図１は、本実施形態における電子時計１の外形図の一例を示す図である。図１に示すように電子時計１は、本体１０、表示部１１、ボタンＡ〜Ｅ、加速度センサ１０６〜１０８を備えている。
【００１８】
本体１０は、電子時計１のケースであり、内部に加速度センサ１０６〜１０８が接続されている制御基板を有している。加速度センサ１０６〜１０８は、相互に直交する直交座標軸のＸ成分、Ｙ成分、Ｚ成分の加速度を検出値として検出するセンサである。
表示部１１は、第１表示部１１ａ、第２表示部１１ｂ、及び第３表示部１１ｃを備えている。第１表示部１１ａは、年と月、月と日付、現在時刻、タイマー時刻等を動作モードに応じて表示する表示部である。第２表示部１１ｂは、ストップウォッチの計測時間、ラップデータ、タイマー時刻、アラームの設定時刻、計測走行距離、走行速度、及び計測したデータを呼び出して表示する表示部である。第３表示部１１ｃは、動作モードのグループを表示する表示部である。
【００１９】
本実施形態の電子時計１では、時計動作モード、コンフィグモード、走行及びピッチに関するモード、タイマーモード、アラームモード、ペースに関するモード等を有している。なお、各動作モードについては、後述する。第１グループは、時計動作モード、走行及びピッチに関するモード、タイマーモード、及びアラームモードを含むグループである。ピッチは、例えば１分間当たりのピッチ数（＝歩数）である。第２グループは、時計動作モード、ペースに関するモード、タイマーモード、及びアラームモードを含むグループである。ペースは、設定された距離を走るのに要した時間である。
【００２０】
図１に戻って、ボタンＡは、第１グループ時に、ストップウォッチ計測を開始する、またはストップウォッチ計測を終了するボタンである。
ボタンＢは、第１グループ時及び第２グループ時に、動作モードを切り替えるボタンである。また、ボタンＢは、時計動作モード時に、時計動作モードとコンフィグモードとを切り替えるボタンである。
ボタンＣは、バックライトを所定時間、点灯させるボタンである。
ボタンＤは、時計動作モード時に、第１グループと第２グループとの切り替えを行うボタンである。またボタンＤは、第１グループ時に、表示の切り替えを行うボタンである。
ボタンＥは、ラップ計測及び計測したラップデータの保存を行うボタンである。
【００２１】
図２は、本実施形態における電子時計１の構成を示したブロック図である。図２に示すように、電子時計１は、発振部１０１、ＣＰＵ（中央演算処理装置）１０２、入力部１０３、表示制御部１０４、表示部１１、加速度センサ１０６〜１０８、ＡＤコンバータ１０９、記憶部１１０、及び報知部１１１を備える。
【００２２】
発振部１０１は、ＣＰＵ１０２の動作用の基準クロック信号を発生させ、発生させた基準クロック信号をＣＰＵ１０２に出力する。また、発振部１０１が生成した基準クロック信号は、時計動作、タイマー動作、アラーム動作、ストップウォッチ計時動作等にも使用される。
ＣＰＵ１０２は、各動作モードの制御、及び電子時計１を構成する各電子回路要素の制御等を行う。
入力部１０３は、使用者からの指示の入力を受け付けるボタンＡ〜ボタンＥを含む。
表示制御部１０４は、ＣＰＵ１０２からの制御信号に応答して、表示部１１に計時値、ラップタイム、スプリットタイム、及び時刻等を表示させる。
表示部１１は、一例として液晶表示装置（ＬＣＤ）によって構成され、計時値、ラップタイム、スプリットタイム、及び時刻等を表示する。
【００２３】
加速度センサ１０６〜１０８は、相互に直交する直交座標軸のＸ成分、Ｙ成分、Ｚ成分を検出して、各成分の加速度に対応する大きさの検出値をＡＤコンバータ１０９に出力する。
ＡＤコンバータ１０９は、加速度センサ１０６〜１０８が出力した検出値を、アナログ値からデジタル値に変換し、変換したデジタル値の検出値をＣＰＵ１０２に出力する。
記憶部１１０は、例えばＲＡＭ（ランダム・アクセス・メモリ）である。記憶部１１０には、ＣＰＵ１０２が実行するプログラムや、各種データを記憶される。記憶部１１０に記憶される各種データは、ラップに関する情報、スプリットに関する情報、ラップを計測したときの現在のピッチに関する情報、歩数を示す情報、速度を示す情報、走行距離を示す情報である。
【００２４】
図３は、本実施形態における電子時計１が計測した計測時間の一例を示す図である。図３において横軸は時刻を示す。また、図３に示した例では、１つのランについて計測されたデータの例を示している。なお、ランとは、走行開始（スタート）から走行終了（ゴール）までの計測である。
本図に示されている計測開始は、ストップウォッチ計測において、ボタンＡが押下された時刻を示す。また、ラップ操作１は、計測開始後、ボタンＥが押下された時刻を示す。また、ラップ操作２は、ラップ操作１の後、ボタンＥが押下された時刻を示す。また、ラップ操作３はラップ操作２の後、ボタンＥが押下された時刻を示す。また、計測停止は、ラップ操作３の後、ボタンＡが押下された時刻を示す。
なお、ラップタイムとは、走行開始から走行終了において、ある区間を通過するのに要した時間である。また、スプリットタイムは、走行開始から、あるラップ操作を行った時までの途中経過時間である。
【００２５】
ＬＡＰ１は、計測開始からラップ操作１までのラップタイムを示す。また、ＬＡＰ２は、ラップ操作１からラップ操作２までのラップタイムを示す。また、ＬＡＰ３は、ラップ操作２からラップ操作３までのラップタイムを示す。また、ＬＡＰ４は、ラップ操作３から計測停止までのラップタイムを示す。このうち、ＬＡＰ４が最後に計測されたラップタイム（以下、最後のラップタイムと呼ぶ）である。
ＳＰＬＩＴ１は、計測開始からラップ操作１までのスプリットタイムを示す。また、ＳＰＬＩＴ２は、計測開始からラップ操作２までのスプリットタイムを示す。また、ＳＰＬＩＴ３は、計測開始からラップ操作３までのスプリットタイムを示す。また、ＳＰＬＩＴ４は、計測開始から計測停止までのスプリットタイムを示す。
【００２６】
図４は、本実施形態における記憶部１１０に記憶される計測データの例を示す概略図である。計測データは、ファイル番号、ラップ番号、計測年月日、スプリットタイム、ラップタイム、ピッチ、歩数、走行速度、走行距離の各項目を有する。ファイル番号は、計測開始から計測停止までの各回の計測を識別する番号であって、計測データを記録するファイルを示す番号である。ラップ番号は、１回の計測において計測されたラップタイムを識別する番号で、計測された順序を示す番号である。計測年月日は、各ファイル番号の計測を開始した年、月、日を示す情報である。
【００２７】
図４に示す例では、ファイル番号「１」の計測データにおいて、ラップ番号「１」に対応するスプリットタイムはＳＰＬＩＴ１であり、ラップタイムはＬＡＰ１である。また、ピッチｐ１は、ラップタイムＬＡＰ１計測時の平均ピッチであり、歩数ｈ１は、計測開始からラップタイムＬＡＰ１計測時までの歩数である。走行速度ｓｐ１は、ラップタイムＬＡＰ１計測時の平均走行速度であり、走行距離Ｌ１は、計測開始からラップタイムＬＡＰ１計測時までの走行距離である。
また、ファイル番号「１」の計測データにおいて、ラップ番号「２」に対応するスプリットタイムはＳＰＬＩＴ２であり、ラップタイムはＬＡＰ２である。また、ピッチｐ２は、ラップタイムＬＡＰ２計測時の平均ピッチであり、歩数ｈ２は計測開始からラップタイムＬＡＰ２計測時までの歩数である。走行速度ｓｐ２はラップタイムＬＡＰ２計測時の走行速度であり、走行距離Ｌ２は、計測開始からラップタイムＬＡＰ２計測時までの走行距離である。
また、ファイル番号「１」の計測データにおいて、ラップ番号「ｎ」（ｎは１以上の整数）に対応するスプリットタイムはＳＰＬＩＴｎであり、ラップタイムはＬＡＰｎである。ラップ番号「ｎ」に対応するラップタイムＬＡＰｎが、当該計測データにおいて最後に計測されたラップタイム（最後のラップタイム）である。また、ピッチｐｎは、ラップタイムＬＡＰｎ計測時の平均ピッチであり、歩数ｈｎは計測開始からラップタイムＬＡＰｎ計測時までの歩数である。走行速度ｓｐｎはラップタイムＬＡＰｎ計測時の走行速度であり、走行距離Ｌｎは、計測開始からラップタイムＬＡＰｎ計測時までの走行距離である。
【００２８】
次に、各動作モードについて説明する。
図５は、本実施形態に係る各動作モード及び動作モードの遷移を説明する図である。図５に示すように、本実施形態における電子時計１は、時計動作モード（Ｓ１）、クロノ（ＣＨＲ）モード（Ｓ１０３）、ログ（ＬＯＧ）モード（Ｓ１０４）、ステップス（ＳＴＥＰＳ）モード（Ｓ１０５）、タイマー（ＴＩＭＥＲ）モード（Ｓ１０６、Ｓ２０７）、アラーム（ＡＬＡＲＭ）モード（Ｓ１０７、Ｓ２０８）、セットアップ（ＳＥＴ  ＵＰ）モード（Ｓ２０３）、ペースクロノ（ＰＡＣＥ  ＣＨＲ）モード（Ｓ２０４）、ペースログ（ＰＡＣＥ  ＬＯＧ）モード（Ｓ２０５）、ディスタンス（ＤＩＳＴＡＮＣＥ）モード（Ｓ２０６）、及びコンフィグモード（Ｓ２）を有している。
図５において、第１グループは、時計動作モード（Ｓ１０１、Ｓ１０２）、走行及びピッチに関するモード（Ｓ１０３〜Ｓ１０５）、タイマーモード（Ｓ１０６）、及びアラームモード（Ｓ１０７）を有している。第２グループは、時計動作モード（Ｓ２０１、Ｓ２０２）、ペースに関するモード（Ｓ２０３〜Ｓ２０６）、タイマーモード（Ｓ２０７）、及びアラームモード（Ｓ２０８）を有している。すなわち、本実施形態に係る電子時計１は、第１グループと第２グループとが、タイマーモード及びアラームモードを共通動作モードとして有している。
なお、走行及びピッチに関するモード（第１動作モード、または第２動作モード）は、クロノモード（Ｓ１０３）、ログモード（Ｓ１０４）、及びステップスモード（Ｓ１０５）を含む。ペースに関するモード（第１動作モード、または第２動作モード）は、セットアップモード（Ｓ２０３）、ペースクロノモード（Ｓ２０４）、ペースログモード（Ｓ２０５）、及びディスタンスモード（Ｓ２０６）を含む。
【００２９】
時計動作モード（ステップＳ１）は、時刻の表示、カレンダーの表示を行うモードである。時計動作モードは、ステップＳ１０とステップＳ２０を含む。また、ステップＳ１０は、ステップＳ１０１とステップＳ１０２を含む。ステップＳ２０は、ステップＳ２０１とステップＳ２０２を含む。
時計動作モードのステップＳ１０１、ステップＳ２０１において、第１表示部１１ａには、月日を示す情報が表示され、第２表示部１１ｂには、現在時刻を示す情報が表示される。また、時計動作モードのステップＳ１０２またはステップＳ２０２において、第１表示部１１ａには、月日を示す情報が表示され、第２表示部１１ｂには、現在時刻を示す情報が表示され、第３表示部１１ｃには、動作グループを示す情報が表示される。
コンフィグモード（ステップＳ２）は、各種の設定値が入力されるモードである。各種の設定値とは、例えば、ユーザの体重、性別、現在の年、月、日、曜日、時刻等を示す値である。
【００３０】
クロノモード（ステップＳ１０３）は、ストップウォッチ計測の開始、ストップウォッチ計測の停止、ラップ計測、ラップ計測のリセット等を行い表示させ、及び記憶部１１０に記憶させるモードである。
この動作モードにおいて、ＣＰＵ１０２は、ボタンＡが押下された場合、ストップウォッチ計測を開始し、ボタンＡが再度、押下された場合、ストップウォッチ計測を終了する。また、ＣＰＵ１０２は、ボタンＥが押下された場合、ラップ計測を行い、計測したラップタイムとスプリットタイムとを記憶部１１０に記憶する。ＣＰＵ１０２は、ラップタイムを計測したときの１分当たりの歩数である平均ピッチを、加速度センサ１０６〜１０８が検出した検出値に基づいて算出する。ＣＰＵ１０２は、算出した平均ピッチと経過時間とに基づいて、歩数を算出する。ＣＰＵ１０２は、算出した平均ピッチ及び歩数を、計測したラップタイムに関連づけて記憶部１１０に記憶させる。
図５に示した例では、第１表示部１１ａには、月日を示す情報が表示され、第２表示部１１ｂには、ストップウォッチの現在の計測時間を示す情報が表示される。
【００３１】
ログモード（ステップＳ１０４）は、クロノモードにおいて、ラップタイムと、その時の平均ピッチを表示するモードである。この動作モードにおいて、ＣＰＵ１０２は、ボタンＤが押下された場合、記憶部１１０に記憶されているラップタイムと、そのラップタイムに関連づけて記憶されている平均ピッチを読み出し、読み出したラップタイムと、平均ピッチを示す各情報を表示部１１に表示する。図５に示した例では、第１表示部１１ａには、データを保存した日付を示す情報が表示され、第２表示部１１ｂには、データが保存されたときのラップタイムを示す情報が表示される。
【００３２】
ステップスモード（ステップＳ１０５）は、月単位の歩数を表示するモードである。この動作モードにおいて、ＣＰＵ１０２は、ボタンＤが押下された場合、記憶部１１０に記憶されている歩数に基づいて、月ごとの歩数を集計し、集計した月ごとの歩数を表示部１１に表示する。図５に示した例では、第１表示部１１ａには、記憶部１１０から読み出されたデータの年と月とを示す情報が表示され、第２表示部１１ｂには、読み出された月の平均歩数が表示される。
【００３３】
タイマーモード（ステップＳ１０６、Ｓ２０７）は、タイマー計測を行い表示するモードである。この動作モードにおいて、ＣＰＵ１０２は、ボタンＡが押下された場合、タイマー計測を開始し、計測値を表示部１１に表示する。また、ＣＰＵ１０２は、タイマー計測中に、ボタンＡが押下された場合、タイマー計測を停止し、再度、ボタンＡが押下された場合、タイマー計測を再開する。ＣＰＵ１０２は、タイマー計測が停止している状態で、ボタンＥが押下された場合、タイマーをリセットする。図５に示した例では、第１表示部１１ａには、第２タイマーのタイマー計測している時間を示す情報が表示され、第２表示部１１ｂには、第１タイマーのタイマー計測している時間を示す情報が表示される。例えば、ＣＰＵ１０２は、ボタンＢが第１所定時間より長く押下された場合、第１タイマーと第２タイマーとを切り替える。なお、第１所定時間は、例えば０．５秒である。
なお、タイマーモードにおいて、ＣＰＵ１０２は、ユーザが予め設定した時間までをカウントして、残り時間を表示部１１に表示するようにしてもよい。
【００３４】
アラームモード（ステップＳ１０７、Ｓ２０８）は、ユーザが予め設定した時刻に、ブザーにより報知する動作モードである。この動作モードにおいて、ボタンＤが第２所定時間より長く押下された場合、ＣＰＵ１０２は、第２表示部１１ｂの時刻表示を点滅させる。なお、第２所定時間は、例えば１秒である。表示が点滅しているとき、ユーザは、ボタンＡを押して、アラームを報知する時刻を合わせる。再びボタンＤが第２所定時間より長く押下された場合、ＣＰＵ１０２は、ユーザにより設定されたアラームを報知する時刻を記憶部１１０に記憶させ、設定時刻までのカウントダウンを開始する。ＣＰＵ１０２は、設定された時刻になった場合、報知部１１１から報知する。
図５に示した例では、第１表示部１１ａには、現在時刻を示す情報が表示され、第２表示部１１ｂには、アラームが設定されている時刻を示す情報が表示される。
【００３５】
セットアップモード（ステップＳ２０３）は、ユーザが所定距離を走行したときの速度計測するための設定を行う動作モードである。この動作モードにおいて、例えば、ユーザは、速度を算出するための計測距離を入力する。ユーザは、例えば、ボタンＡを押して普通のランニングのペースで５０［ｍ］走り、その間、ＣＰＵ１０２は加速度センサ１０６〜１０８が検出した検出値に基づいてピッチや歩数の計測を行う。そして、ＣＰＵ１０２は、走った距離を検出した歩数で除算して歩幅を求め、求めた歩幅を記憶部１１０に記憶させる。ＣＰＵ１０２は、走行開始時と走行終了時にユーザによりボタンＡが各々、押下された時刻から走行時間を算出する。ＣＰＵ１０２は、設定された走行距離を、算出した走行時間で除算して走行速度を算出し、算出した走行速度を記憶部１１０に記憶させる。また、ＣＰＵ１０２は、走行距離、走行時間、走行速度に基づいて、設定した走行距離当たりの平均速度を示す平均ペースを算出し、算出した平均ペースを記憶部１１０に記憶させる。
図５に示した例では、第２表示部１１ｂには、ユーザが設定した所定距離を示す情報が表示される。また、ボタンＡが押下された場合、第２表示部１１ｂには、平均ピッチを示す情報が表示される。
【００３６】
ペースクロノモード（ステップＳ２０４）は、ボタンＥの操作によりラップ計測が行われたとき、ラップタイム、走行速度、または現在の走行距離を表示部１１に表示する。この動作モードにおいて、ＣＰＵ１０２は、ボタンＥが操作されたときにラップ計測し、計測したラップタイムを記憶部１１０に記憶させる。ＣＰＵ１０２は、ボタンＡが押下された場合、走行開始からの経過時間を表示部１１に表示する。ＣＰＵ１０２は、加速度センサ１０６〜１０８が検出した検出値に基づいて歩数を検出する。ＣＰＵ１０２は、検出した歩数と、セットアップモードにて記憶部１１０に記憶された歩幅、走行開始からラップタイムまでの経過時間とに基づいて推定速度を算出する。ＣＰＵ１０２は、算出した推定速度に基づいて、走行開始時からラップタイムを計測した時点までの推定走行距離を算出する。ＣＰＵ１０２は、算出したラップタイム、推定速度、推定走行距離を表示部１１に表示する。
図５に示した例では、第１表示部１１ａには、現在時刻を示す情報が表示され、第２表示部１１ｂには、計測された走行開始からの経過時間を示す情報が表示される。
【００３７】
ペースログモード（ステップＳ２０５）は、ペースクロノモードにおいて記録されたデータを呼び出して表示するモードである。この動作モードにおいて、ＣＰＵ１０２は、ボタンＤが押下された場合、記憶部１１０に記憶されているラップタイム、走行距離、平均ペースを読み出し、読み出したラップタイム、走行距離、平均ペースを表示部１１に表示する。
図５に示した例では、第１表示部１１ａには、データが保存された日時を示す情報が表示され、第２表示部１１ｂには、データが保存されたときのラップデータを示す情報が表示される。
【００３８】
ディスタンスモード（ステップＳ２０６）は、月ごとの走行距離を集計して表示するモードである。この動作モードにおいて、ＣＰＵ１０２は、記憶部１１０に記憶されている走行距離を読み出し、読み出した走行距離を月ごとに集計する。ＣＰＵ１０２は、集計した月ごとの走行距離を表示部１１に表示する。
図５に示した例では、第１表示部１１ａには、走行距離の確認を行う年と月を示す情報が表示され、第２表示部１１ｂには、選択された月の一ヶ月あたりの走行距離を示す情報が表示される。
なお、以上の各動作モードにおける図５に示した表示部１１の表示は一例であり、第１表示部１１ａと第２表示部１１ｂの表示内容はこれに限られない。
【００３９】
上述したように、本実施形態に係る電子時計１は、ユーザによる操作を受け付ける操作部（入力部１０３、ボタンＡ〜Ｅ）と、複数の動作モード（例えば、走行及びピッチに関するモード、ペースに関するモード、タイマーモード、アラームモード）を各々有する複数のグループ（第１グループ、第２グループ）を操作部が受け付けた操作に基づいて切り替え、動作モードを操作部が受け付けた操作に基づいて切り替える制御部（ＣＰＵ１０２）と、を備え、複数のグループは、現在時刻を表示する時計動作モード（Ｓ１）以外で、複数のグループ間で共通する共通動作モード（例えば、タイマーモード、またはアラームモードのうち少なくとも１つの動作モード）を有する。
このように、本実施形態に係る電子時計１は、使用頻度が高い動作モードを、複数のグループが共通に有しているため、従来のように時計動作モードに戻って、他のグループへの切り替えを行うことなく、使用しているグループ内で直接、共通の動作モードを使用することができる。従って、本実施形態に係る電子時計１によれば、ユーザは、使用頻度の高い動作モードを、煩雑なモード切り替えを行わずに使用することができる。この結果、本実施形態に係る電子時計１では、ユーザの利便性を向上できる。
【００４０】
次に、動作モードの遷移について、図５を用いて説明する。
（ステップＳ１）ＣＰＵ１０２は、ボタンＢが押下された時間が第２所定時間より長いか短いかを判定する。ボタンＢが押下された時間が第２所定時間より長いと判定した場合、ＣＰＵ１０２は、ステップＳ２のコンフィグモードに進む。ボタンＢが押下された時間が第２所定時間より短いと判定した場合、ＣＰＵ１０２は、ステップＳ１０からステップＳ１０３のクロノモードへ進む、またはステップＳ２０からステップＳ２０３のセットアップモードに進む。
【００４１】
（ステップＳ２）ＣＰＵ１０２は、ボタンＢが押下された時間が予め定められた第２所定時間より長いか短いかを判定する。ボタンＢが押下された時間が第２所定時間より長いと判定した場合、ＣＰＵ１０２は、ステップＳ１の時計動作モードに戻る。
【００４２】
（ステップＳ１０１）ＣＰＵ１０２は、ボタンＤが押下されたか否かを判定する。ボタンＤが押下されたと判定した場合、ＣＰＵ１０２は、ステップＳ２０２に進む。ボタンＤが押下されていないと判定した場合、ＣＰＵ１０２は、ステップＳ１０１を繰り返す。
【００４３】
（ステップＳ１０２）ＣＰＵ１０２は、ボタンＤが押下されたか否かを判定する。ボタンＤが押下されたと判定した場合、ＣＰＵ１０２は、ステップＳ２０２に進む。ＣＰＵ１０２は、予め定められた第３所定時間が経過したか否かを判別する。なお、第３所定時間は、例えば３秒である。第３所定時間が経過したと判定した場合、ＣＰＵ１０２は、ステップＳ１０１に戻る。第３所定時間が経過していないと判定した場合、またはボタンＤが押下されていないと判定した場合、ＣＰＵ１０２は、ステップＳ１０２を第３所定時間が経過するまで繰り返す。
【００４４】
（ステップＳ１０３〜Ｓ１０５）ＣＰＵ１０２は、ボタンＢが押下された時間が第１所定時間より長いか短いかを判定する。ボタンＢが押下された時間が第１所定時間より短いと判定した場合、ＣＰＵ１０２は、現在の動作モードがステップＳ１０３のクロノモードの場合、ステップＳ１０３からＳ１０４に進み、現在の動作モードがステップＳ１０４のログモードの場合、ステップＳ１０４からＳ１０５に進み、現在の動作モードがステップＳ１０５のステップスモードの場合、ステップＳ１０５からＳ１０６に進む。ボタンＢが押下されていないと判定した場合、ＣＰＵ１０２は、ステップＳ１０３〜Ｓ１０５の各々における処理を繰り返す。
【００４５】
（ステップＳ１０６）ＣＰＵ１０２は、ボタンＢが押下された時間が第２所定時間より長いか短いかを判定する。ボタンＢが押下された時間が第２所定時間より短いと判定した場合、ＣＰＵ１０２は、ステップＳ１０７のアラームモードに進む。ボタンＢが押下されていないと判定した場合、ＣＰＵ１０２は、ステップＳ１０６におけるタイマーモードの処理を繰り返す。
【００４６】
（ステップＳ１０７）ＣＰＵ１０２は、ボタンＢが押下された時間が第２所定時間より長いか短いかを判定する。ボタンＢが第２所定時間より短く押下された場合、ＣＰＵ１０２は、ステップＳ１０７からＳ１０１に戻る。ボタンＢが押下されていないと判定した場合、ＣＰＵ１０２は、ステップＳ１０７におけるアラームモードの処理を繰り返す。
【００４７】
（ステップＳ２０１）ＣＰＵ１０２は、ボタンＤが押下されたか否かを判定する。ボタンＤが押下されたと判定した場合、ＣＰＵ１０２は、ステップＳ１０２に進む。ボタンＤが押下されていないと判定した場合、ＣＰＵ１０２は、ステップＳ２０１における処理を繰り返す。
【００４８】
（ステップＳ２０２）ＣＰＵ１０２は、ボタンＤが押下されたか否かを判定する。ボタンＤが押下されたと判定した場合、ＣＰＵ１０２は、ステップＳ１０２に進む。ＣＰＵ１０２は、第３所定時間が経過したか否かを判別する。第３所定時間が経過したと判定した場合、ＣＰＵ１０２は、ステップＳ２０１に戻る。第３所定時間が経過していないと判定した場合、またはボタンＤが押下されていないと判定した場合、ＣＰＵ１０２は、ステップＳ２０２における処理を第３所定時間が経過するまで繰り返す。
【００４９】
（ステップＳ２０３〜Ｓ２０６）ＣＰＵ１０２は、ボタンＢが押下された時間が第１所定時間より長いか短いかを判定する。ボタンＢが押下された時間が第１所定時間より短いと判定した場合、ＣＰＵ１０２は、現在の動作モードがステップＳ２０３のセットアップモードの場合、ステップＳ２０３からＳ２０４に進み、現在の動作モードがステップＳ２０４のペースクロノモードの場合、ステップＳ２０４からＳ２０５に進み、現在の動作モードがステップＳ２０５のペースログモードの場合、ステップＳ２０５からＳ２０６に進み、現在の動作モードがステップＳ２０６のディスタンスモードの場合、ステップＳ２０６からＳ２０７に進む。ボタンＢが押下されていないと判定した場合、ＣＰＵ１０２は、ステップＳ２０３〜Ｓ２０６の各々における処理を繰り返す。
【００５０】
（ステップＳ２０７）ＣＰＵ１０２は、ボタンＢが押下された時間が第２所定時間より長いか短いかを判定する。ボタンＢが押下された時間が第２所定時間より短いと判定した場合、ＣＰＵ１０２は、ステップＳ２０９のアラームモードに進む。ボタンＢが押下されていないと判定した場合、ＣＰＵ１０２は、ステップＳ２０７におけるタイマーモードの処理を繰り返す。
【００５１】
（ステップＳ２０８）ＣＰＵ１０２は、ボタンＢが押下された時間が第２所定時間より長いか短いかを判定する。ボタンＢが第２所定時間より短く押下された場合、ＣＰＵ１０２は、ステップＳ２０８からＳ２０１に戻る。ボタンＢが押下されていないと判定した場合、ＣＰＵ１０２は、ステップＳ２０８におけるアラームモードの処理を繰り返す。
【００５２】
以上のように、本実施形態に係る電子時計１では、複数の動作モードを第１グループと第２グループとに分けている。本実施形態に係る電子時計１では、この第１グループと第２グループとが、共通の動作モードであるタイマーモードとアラームモードを有している。これにより、ユーザは、第１グループを使用しているときであっても、従来のように時計動作モードに戻って、第２グループへの切り替えを行うことなく、第１グループにおいて直接、タイマーモードとアラームモードを使用することができる。同様に、ユーザは、第２グループを使用しているときであっても、従来のように時計動作モードに戻って、第１グループへの切り替えを行うことなく、第２グループにおいて直接、タイマーモードとアラームモードを使用することができる。従って、本実施形態に係る電子時計１によれば、ユーザは、使用頻度の高い動作モードを、煩雑なモード切り替えを行わずに使用することができる。この結果、本実施形態に係る電子時計１では、ユーザの利便性を向上できる。
【００５３】
なお、本実施形態では、第１グループ、及び第２グループに共通動作モードの例としてタイマーモードとアラームモードを説明したが、これに限られない。例えば、世界各地の日時を表示するワールドタイムモード等を共通の共通動作モードにしてもよい。
【００５４】
また、本実施形態では、複数の動作モードを２つのグループに分ける例を説明したが、グルーブの数は３つ以上であってもよい。このような場合であっても、全てのグループに共通の共通動作モードが少なくとも１つあるように動作モードを分けるようにしてもよい。
または、グループを第１〜第３に分けた場合、例えば第１グループと第２グループとに、少なくとも１つ、第１の共通動作モードがあるようにしてもよい。そして、例えば第２グループと第３グループとに、少なくとも１つ、第１の共通動作モードとは異なる第２の共通動作モードがあるようにしてもよい。
【００５５】
なお、本実施形態では、電子時計１に適用した例を説明したが、これに限られない。時計機能、計時機能、加速度センサ、表示部、入力部を有する電子機器（例えば、携帯端末）に適用することも可能である。このような携帯端末において、図５で説明したように、異なるグループに共通動作モードを有し、ステップＳ１〜Ｓ２０８のような手順で、各グループを遷移させて表示させるようにしてもよい。なお、携帯端末とは、例えば、携帯電話機、携帯音楽再生装置、携帯画像再生装置等である。また、このような携帯端末において、入力部１０３は、例えば表示部１１が有するタッチパネルセンサーであってもよい。
【００５６】
本実施形態の電子時計は、ＧＰＳ（グローバル・ポジショニング・システム）機能部を備えていてもよい。この場合、ＧＰＳ機能部により測位された位置情報と、計測している時間情報とに基づいて、走行速度、及び走行距離を算出するようにしてもよい。さらに、このようにして算出された値に基づいて、設定された走行距離当たりの平均ペースを算出するようにしてもよい。
【００５７】
なお、本実施形態では、歩数、平均ピッチ、平均ペース、走行速度等を表示部１１に表示する例を説明したが、これに限られない。例えば、ＣＰＵ１０２は、走行距離等に基づいて消費カロリーを算出し、算出した消費カロリーを表示部１１に表示するようにしてもよい。
【符号の説明】
【００５８】
１…電子時計、１０…本体、１１…表示部、Ａ〜Ｅ…ボタン、１０１…発振部、１０２…ＣＰＵ、１０３…入力部、１０４…表示制御部、１０６〜１０８…加速度センサ、１０９…ＡＤコンバータ、１１０…記憶部１１０、１１１…報知部
【図１】
2014048240.tif 000003
【図２】
2014048240.tif 000004
【図３】
2014048240.tif 000005
【図４】
2014048240.tif 000006
【図５】
2014048240.tif 000007